(57)【要約】【課題】ピアノの演奏者が  鍵盤の前のどの位置にあっても  ペダリングが可能となるバー型ペダルが設けられたピアノを提供する。【解決手段】  ピアノ本体のダンパー作動部、あるいはソフト作動部、あるいはソステヌート作動部のすくなくとも一つの作動部に  突き上げ棒を介して連結する  横長バー形状となったペダルが設けられたことを特徴とするピアノ。【選択図】  図１
2005043849.tif 000002
【特許請求の範囲】
【請求項１】
ピアノ本体のダンパー作動部、あるいはソフト作動部、あるいはソステヌート作動部の少なくとも一つの作動部に  突き上げ棒を介して連結する  横長バー形状となったペダルが設けられたことを特徴とする  バー型ペダルピアノ。
【発明の詳細な説明】
【発明の詳細な説明】
【技術分野】
【０００１】  この発明は、演奏者がピアノを演奏する際、体の位置が鍵盤の前の  どの位置にあってもペダリングが可能となるバー型ペダルピアノに関するものである。
【背景技術】
【０００２】  従来のグランドピアノのペダルは  ピアノの左右前脚の中央に位置し、三本のペダルが演奏者のいる側へ突出している。
また、アップライトピアノの場合は  前土台の中央から  同じく三本のペダルが演奏者のいる側へ突出している。
三本のペダルの内、向かっていちばん右のものはダンパーペダルの場合が多く向かっていちばん左のものはソフトペダルの場合が多い。
まん中のペダルはグランドピアノではソステヌートペダルの場合が多く、アップライトピアノでは消音ペダルの場合が多いが、機種によって多少、用途が異なっている。【０００３】
【非特許文献１】  宇都宮誠一、家庭のピアノ実用百科／選び方からメインテナンスまで、１版、日本、株式会社音楽之友社、１９９５年８月１０日、１４−１７頁
【発明が解決しようとする課題】
【０００４】  これは次のような欠点があった。
イ．ピアノを演奏する際のペダル操作、すなはちペダリングは  ペダルの設置状況ゆえに、ダンパーペダルは右足で、ソフトペダルは左足で踏むことを余儀なくされた。
ロ．演奏者の体の位置は必然的に三本のペダルの前、すなはち鍵盤の中央の前に固定された。曲目によって椅子を左右どちらかに移動させた方が弾きやすくても  ペダルが踏みづらくなるので椅子は中央に置き、それに座って体をよじることによって弾きやすい体勢をつくらねばならなかった。
だが、ピアノは鍵盤楽器の中でも最も鍵盤の数が多く、横幅の広い楽器であるため、たとえば両手を同時に左右どちらかの端にもっていって演奏するときなどには、体勢にはかなりのむりが生じた。その上、腕も極端にひねった状態で演奏することを強いられる局面が相当多く存在するため  運指、すなはちフィンガリングも精度を欠いた。
ハ．一台のピアノでの連弾では  ペダリングは右側、すなはち高音部を担当する演奏者が受け持たねばならなかった。
ニ．ピアノ教師が  生徒に教える際、教師は生徒の左右どちらかに座り  生徒の演奏を指導するが、ペダリングに関する技術指導を行うには、ペダルから随分離れた場所から、足をのばしてペダルを踏まねばならなかった。
本発明は、以上の欠点を解決するためになされたものである。
【課題を解決するための手段】
【０００５】  ピアノ本体の  ダンパー作動部、あるいはソフト作動部、あるいはソステヌート作動部の少なくとも一つの作動部に  突き上げ棒を介して連結する横長バー形状となったペダルが設けられている。
本発明は以上の構成より成るバー型ペダルピアノである。
【発明を実施するための最良の形態】
【０００６】以下、本発明の実施の形態を説明する。
図１、図２に示すようにグランドピアノの２本の前脚の間にダンパー機構、ソフト機構、ソステヌート機構を作動させるためのバー型のペダルを設ける。図１に示す実施例のようにダンパーペダル、ソフトペダルの二本ペダル構成のピアノにおいては  二本のバーの下の方が手前に、上の方が奥になるよう段違いに設置されている。通常は下がダンパー用のバー型ペダル（１）、上がソフト用のバー型ペダル（２）とする。図２に示す実施例のようなソステヌートペダルを有する３本ペダル構成のピアノにおいては  通常、ソステヌート用のバー型ペダル（３）をソフト用のバー型ペダル（２）のさらに上に設置する。また、図３に示すように、棚板の下に設置しても良い。この方式では膝でバーを押し上げて使用する。無論、演奏者の好みで三種類のバー型ペダルの機能と位置を交換しても何らのさしつかえもない。
バー型ペダルの動きをピアノ本体の各機構に伝える突き上げ棒（４）は図１、図２、図３、の実施例においては  ２本の前脚の中に図４、図５、のごとく隠されている。バー型ペダルを踏むことによって生じる  その支点での回転運動は  つめ（５）に伝えられ、板バネ（７）の圧力とピアノ本体の各機構の重さのかかった  てこ板（６）を押し下げ  突き上げ棒（４）を押し上げる。突き上げ棒（４）は図５に示すように  前脚とピアノ本体との接続部付近でピアノの内側に突出し、ピアノ本体の各機構と接続する。
図６、図７、図８、は各ペダルと各機構との接続状態を示している。
図６ではダンパーペダルとダンパーリフティングレール（８）との接続状態を示しており、ペダルを踏むとダンパーリフティングレールが押し上げられる。
図７ではソフトペダルとおさ押しレバー（９）との接続状態を示しており、ペダルを踏むと左右からロッドがせり寄り、おさ押しレバー（９）に反時計回りの回転運動を与える。その結果  おさ押しレバー（９）は  おさを右に動かすことができる。
図８ではソステヌートペダルとソステヌートロッド（１０）との接続状態を示しており、ペダルを踏むと  ソステヌートロッド（１０）が上向きに回転する。
各突き上げ機構と各機能との関係は従来のものを単に左右に振り分けたものととらえて差し支えない。左右の機構の運動伝達バランスは各部品の精度が有る程度のレベルに達していれば  さほどの苦労無く調整することが出来る。各ロッドの接続部において  ペーパーパンチングやパンチングクロス等で調整することが可能である。調律師、ピアノ製造業者ならば誰でも容易にバランス調整できる。図９、図１０の実施例では  従来の中央突き上げ型に  単にバー型のペダルを組み合わせたものである。図９においては３本ペダルの実施例を示している。
図１０においては２本ペダルの実施例に棚板の下にソステヌートペダルを装備した実施例を示している。
図１１、図１２、図１３、ではアップライトピアノにおけるバー型ペダルの装備実施例を示している。各ペダルと各機構の接続状態はグランドピアノと同様である。ソステヌートペダルを設ける場合は、消音機構は棚板等に手引きで操作できるものを設ける。このスタイルの消音機構は現存するピアノに既に装備されている。アップライトピアノのソフトペダル作動機構はダンパーペダル作動機構とほとんどかわらない形態をとっている。したがって  ダンバーペダル作動機構を組み上げることが出来れば  ソフトペダル作動機構も問題無く組み上げることが出来る。
【発明の効果】
【０００７】  本発明を使用することによって  ピアノ演奏者は鍵盤の前のどの位置にいてもペダルを踏むことができる。また、図１にしめすような横方向にスライドする椅子を併せて使用すると  演奏者は椅子をスライドさせることによって体を弾きやすい位置へ移動して演奏することができるようになるため  体をよじって弾きやすい体勢を作らなくてもよくなる。つまり、手、指をつかさどる筋肉組織によけいな負担がかからなくなるため  手、指のコントロールの精度が高くなる。さらに、速度を追及しなくてはならない曲目などには高い効果を発揮する。一台のピアノによる連弾の際にも  二人の演奏者の内、どちらでもペダルを踏むことが出来る。ピアノ教師が生徒にペダリングの感覚を教える際にも  生徒の足をペダルに乗せておかせて  教師が別の場所でペダリングをしてみせるといった方法が可能となる。
【図面の簡単な説明】
【図１】本発明の斜視図
【図２】本発明のソステヌート用のバー型ペダルを設置した斜視図
【図３】本発明の棚板にソステヌート用のバー型ペダルを設置した斜視図
【図４】本発明のグランドピアノの脚の中に突き上げ棒を隠すタイプの実施例における足元の突き上げ機構の斜視図
【図５】本発明のグランドピアノの脚の中に突き上げ棒を隠すタイプの実施例における突き上げ機構のピアノ本体との接続部を示す斜視図
【図６】本発明のグランドピアノの脚の中に突き上げ棒を隠すタイプの実施例におけるダンパーペダルと突き上げ機構及びダンパーリフタィングレールの斜視図
【図７】本発明のグランドピアノの脚の中に突き上げ棒を隠すタイプの実施例におけるソフトペダルと突き上げ機構及び  おさ押しレバーの斜視図
【図８】本発明のグランドピアノの脚の中に突き上げ棒を隠すタイプの実施例におけるソステヌートペダルと突き上げ機構及びソステヌートロッドの斜視図
【図９】本発明の従来中央突き上げ型機構を併用した斜視図
【図１０】本発明の従来中央突き上げ型機構を併用し、かつ棚板にソステヌート用のバー型ペダルを設置した斜視図
【図１１】本発明のアップライトピアノにおける設置例を示した斜視図
【図１２】本発明のアップライトピアノにおけるソステヌート用のバー型ペダルの設置例を示した斜視図
【図１３】本発明のアップライトピアノにおけるソステヌート用のバー型ペダルを棚板の下に設置した例を示した斜視図
【符号の説明】
１    ダンパー用のバー型ペダル
２    ソフト用のバー型ペダル
３    ソステヌート用のバー型ペダル
４    突き上げ棒
５    つめ
６    てこ板
７    板バネ
８    ダンパーリフティングレール
９    おさ押しレバー
１０  ソステヌートロッド
【図１】
2005043849.tif 000003
【図２】
2005043849.tif 000004
【図３】
2005043849.tif 000005
【図４】
2005043849.tif 000006
【図５】
2005043849.tif 000007
【図６】
2005043849.tif 000008
【図７】
2005043849.tif 000009
【図８】
2005043849.tif 000010
【図９】
2005043849.tif 000011
【図１０】
2005043849.tif 000012
【図１１】
2005043849.tif 000013
【図１２】
2005043849.tif 000014
【図１３】
2005043849.tif 000015